(57)【要約】【課題】  ナノ粒子の大気中への排出を抑制することが可能な内燃機関の制御装置を提供する。【解決手段】  エンジン１の気筒２内にナノ粒子よりも径の大きいスス等の粒子状物質が生成されるように燃料を供給可能なインジェクタ１９を備えた内燃機関の制御装置において、ＥＣＵ３０は、エンジン１の減速時又はアイドル運転時に気筒内に粒子状物質が生成されるようにインジェクタ１９の動作を制御する。【選択図】      図２
2006258071.tif 000002
【特許請求の範囲】
【請求項１】
内燃機関の筒内にナノ粒子よりも径の大きい粒子状物質を生成し、該粒子状物質にナノ粒子を付着させてナノ粒子の排出を抑制することを特徴とする内燃機関の排気浄化方法。
【請求項２】
内燃機関の筒内にナノ粒子よりも径の大きい粒子状物質を生成する粒子状物質生成手段と、前記内燃機関の減速時又はアイドル運転時に前記筒内に前記粒子状物質が生成されるように前記粒子状物質生成手段の動作を制御する動作制御手段と、を備えていることを特徴とする内燃機関の制御装置。
【請求項３】
前記内燃機関の減速時又はアイドル運転時に前記筒内において潤滑油に由来するナノ粒子成分が生成されているか否かを判定する状態判定手段を備え、
前記動作制御手段は、前記状態判定手段が前記筒内において潤滑油に由来するナノ粒子成分が生成されていると判断した場合に前記筒内に前記粒子状物質が生成されるように前記粒子状物質生成手段を動作させることを特徴とする請求項２に記載の内燃機関の制御装置。
【請求項４】
前記状態判定手段は、前記内燃機関の減速時における前記内燃機関の回転数の変化に基づいて前記内燃機関の減速度を判定し、
前記動作制御手段は、前記状態判定手段により判定された減速度が大きいほど前記筒内に前記粒子状物質が多く生成されるように前記粒子状物質生成手段を動作させることを特徴とする請求項３に記載の内燃機関の制御装置。
【請求項５】
前記状態判定手段は、前記内燃機関の減速時又はアイドル運転時に前記筒内の状態が前記筒内に潤滑油が吸引され易い状態か否か判断し、前記筒内に潤滑油が吸引され易い状態であると判断した場合に前記筒内において潤滑油に由来するナノ粒子成分が多く生成されていると推定することを特徴とする請求項３又は４に記載の内燃機関の制御装置。
【請求項６】
前記粒子状物質生成手段として前記筒内に燃料を供給する燃料供給手段が設けられていることを特徴とする請求項２〜５のいずれか一項に記載の内燃機関の制御装置。
【請求項７】
前記筒内において燃焼する潤滑油量を低減させる潤滑油燃焼量低減手段をさらに備え、
前記動作制御手段は、前記内燃機関の減速時又はアイドル運転時に前記筒内において燃焼する潤滑油量が低減するように前記潤滑油燃焼量低減手段の動作を制御することを特徴とする請求項２〜６のいずれか一項に記載の内燃機関の制御装置。
【請求項８】
前記内燃機関の排気通路に酸化能を有する排気浄化触媒が設けられ、
前記動作制御手段は、前記内燃機関の減速時又はアイドル運転時に、前記排気浄化触媒を通過する排気ガスの流量が予め設定された判定流量よりも多い場合、又は前記排気浄化触媒の温度が前記排気浄化触媒の触媒活性温度域に基づいて予め設定された判定温度よりも低い場合のうちの少なくともいずれか一方の場合に、前記筒内に前記粒子状物質が生成されるように前記粒子状物質生成手段を動作させることを特徴とする請求項２〜７のいずれか一項に記載の内燃機関の制御装置。
【発明の詳細な説明】
【技術分野】
【０００１】
本発明は、内燃機関の排気浄化方法及び内燃機関の制御装置に関する。
【背景技術】
【０００２】
触媒成分が担持された第１のセラミックフィルタにて選択的に含炭素浮遊微粒子を捕集し、第１のセラミックフィルタの下流側に配置され、触媒成分が担持された第２のセラミックフィルタにて第１のセラミックフィルタをすり抜けた含炭素浮遊微粒子を捕集する装置が知られている（特許文献１参照）。また、内燃機関から排出される排気ガス中にはナノ粒子が含まれていることが知られている（非特許文献１参照）。その他、本発明に関連する先行技術文献として特許文献２〜４が存在する。
【０００３】
【特許文献１】特開２００２−３６４３３９号公報
【特許文献２】特開平１０−５４２６８号公報
【特許文献３】特開平０９−２７３６２８号公報
【特許文献４】実開昭６３−０６９７６０号公報
【非特許文献１】「自動車研究」、２０００年６月、第２２巻、第６号、ｐ．５−１０
【発明の開示】
【発明が解決しようとする課題】
【０００４】
ナノ粒子の一部はセラミックフィルタをすり抜けるため、従来の装置では、ナノ粒子が十分に捕集されていないおそれがある。なお、ナノ粒子とは、一般に粒径が５０ｎｍ以下の粒子のことを指す。より詳しく説明すると、ナノ粒子は、燃料中の高沸点成分や内燃機関の潤滑油成分に由来するもので、潤滑油が燃焼した後の形態あるいは潤滑油凝集成分、もしくは燃焼成分と未燃焼成分の凝集体との見解もある。
【０００５】
そこで、本発明は、ナノ粒子の大気中への排出を抑制することが可能な内燃機関の排気浄化方法及び内燃機関の制御装置を提供することを目的とする。
【課題を解決するための手段】
【０００６】
本発明の内燃機関の排気浄化方法は、内燃機関の筒内にナノ粒子よりも径の大きい粒子状物質を生成し、該粒子状物質にナノ粒子を付着させてナノ粒子の排出を抑制することにより、上述した課題を解決する（請求項１）。
【０００７】
本発明の内燃機関の排気浄化方法によれば、内燃機関の筒内（以下、気筒内と記述することもある。）においてナノ粒子を粒子状物質に付着させることができるので、筒内から排出されるナノ粒子の量を低減させることができる。即ち、ナノ粒子をナノ粒子よりも径の大きい粒子状物質に付着させることで、ナノ粒子と呼称される大きさの粒径で排出されるナノ粒子の量を低減させることができる。ナノ粒子よりも径の大きい粒子状物質は、例えばセラミックフィルタなどの排気浄化装置で捕集できるので、内燃機関の下流にこのような排気浄化装置を設けることでナノ粒子の大気中への排出を抑制することができる。
【０００８】
なお、本発明において粒子状物質とは、ナノ粒子よりも径の大きい粒子のことを指す。このような粒子状物質には、例えばスス（ｓｏｏｔ）及び可溶性有機物質（ＳＯＦ）が含まれる。
【０００９】
本発明の内燃機関の制御装置は、内燃機関の筒内にナノ粒子よりも径の大きい粒子状物質を生成する粒子状物質生成手段と、前記内燃機関の減速時又はアイドル運転時に前記筒内に前記粒子状物質が生成されるように前記粒子状物質生成手段の動作を制御する動作制御手段と、を備えていることにより、上述した課題を解決する（請求項２）。
【００１０】
本発明の内燃機関の制御装置によれば、内燃機関の減速時又はアイドル運転時に筒内に粒子状物質を生成させ、筒内で発生したナノ粒子を筒内において粒子状物質に付着させることができるので、筒内から排出されるナノ粒子の量を低減させることができる。そのため、上述した排気浄化方法と同様にナノ粒子の大気中への排出を抑制することができる。
【００１１】
本発明の内燃機関の制御装置は、前記内燃機関の減速時又はアイドル運転時に前記筒内において潤滑油に由来するナノ粒子成分が生成されているか否かを判定する状態判定手段を備え、前記動作制御手段は、前記状態判定手段が前記筒内において潤滑油に由来するナノ粒子成分が生成されていると判断した場合に前記筒内に前記粒子状物質が生成されるように前記粒子状物質生成手段を動作させてもよい（請求項３）。内燃機関の減速時又はアイドル運転時は筒内の圧力が低下し易いため、潤滑油が筒内に吸引されて燃焼し易い。そのため、筒内において潤滑油に由来するナノ粒子成分が発生し易い。そこで、状態判定手段によって内燃機関の筒内において潤滑油に由来するナノ粒子成分が生成されていると判断された場合は、筒内に粒子状物質を生成させてナノ粒子をこの粒子状物質に付着させることで、筒内から排出されるナノ粒子を低減させる。
【００１２】
潤滑油は、例えばピストンリングの隙間などを通過して内燃機関の筒内に侵入するため、筒内の圧力が低いほど侵入し易い。そこで、本発明の内燃機関の制御装置において、前記状態判定手段は、前記内燃機関の減速時における前記内燃機関の回転数の変化に基づいて前記内燃機関の減速度を判定し、前記動作制御手段は、前記状態判定手段により判定された減速度が大きいほど前記筒内に前記粒子状物質が多く生成されるように前記粒子状物質生成手段を動作させてもよい（請求項４）。内燃機関の減速度が大きい場合は、内燃機関の減速度が小さい場合よりも筒内の圧力が低下し易いので筒内に侵入する潤滑油の量が増加するおそれがある。そのため、内燃機関の減速度が大きい場合は、減速度が小さい場合よりも潤滑油に由来するナノ粒子成分の発生量が増加するおそれがある。そこで、このように内燃機関の減速度に応じて粒子状物質の生成量を調整し、ナノ粒子の発生量に応じて粒子状物質の生成量を適切に調整する。これにより、過剰な粒子状物質の生成を抑制しつつ、ナノ粒子の大気への放出を抑制することができる。
【００１３】
本発明の内燃機関の制御装置において、前記状態判定手段は、前記内燃機関の減速時又はアイドル運転時に前記筒内の状態が前記筒内に潤滑油が吸引され易い状態か否か判断し、前記筒内に潤滑油が吸引され易い状態であると判断した場合に前記筒内において潤滑油に由来するナノ粒子成分が多く生成されていると推定してもよい（請求項５）。上述したようにナノ粒子の一部は潤滑油が燃焼したものと考えられているため、筒内に潤滑油が吸引され易い場合は筒内に吸引される潤滑油量が増加し、筒内にて燃焼する潤滑油量が増加すると考えられる。そのため、潤滑油に由来するナノ粒子成分が多く生成されると推定することができる。
【００１４】
本発明の内燃機関の制御装置は、前記粒子状物質生成手段として前記筒内に燃料を供給する燃料供給手段が設けられていてもよい（請求項６）。筒内に燃料を供給し、この燃料を燃焼させることで筒内にススなどを生成することができる。
【００１５】
本発明の内燃機関の制御装置は、前記筒内において燃焼する潤滑油量を低減させる潤滑油燃焼量低減手段をさらに備え、前記動作制御手段は、前記内燃機関の減速時又はアイドル運転時に前記筒内において燃焼する潤滑油量が低減するように前記潤滑油燃焼量低減手段の動作を制御してもよい（請求項７）。この場合、潤滑油燃焼量低減手段によって筒内で燃焼する潤滑油の量を低減することができるので、潤滑油に由来するナノ粒子成分の生成量を低減できる。そのため、筒内にて生成されるナノ粒子の量を低減させ、筒内から排出されるナノ粒子の量をさらに低減させることができる。
【００１６】
本発明の内燃機関の制御装置は、前記内燃機関の排気通路に酸化能を有する排気浄化触媒が設けられ、前記動作制御手段は、前記内燃機関の減速時又はアイドル運転時に、前記排気浄化触媒を通過する排気ガスの流量が予め設定された判定流量よりも多い場合、又は前記排気浄化触媒の温度が前記排気浄化触媒の触媒活性温度域に基づいて予め設定された判定温度よりも低い場合のうちの少なくともいずれか一方の場合に、前記筒内に前記粒子状物質が生成されるように前記粒子状物質生成手段を動作させてもよい（請求項８）。排気浄化触媒を通過する排気ガス流量が多い場合、又は排気浄化触媒の温度が低い場合は、排気浄化触媒の排気浄化性能を高い状態に維持し難い。そこで、このような場合に粒子状物質生成手段を動作させ、排気浄化触媒に流入するナノ粒子の量を低減させる。これにより、排気浄化触媒の排気浄化性能に応じて排気浄化触媒に流入するナノ粒子の量を調整することができる。
【発明の効果】
【００１７】
以上に説明したように、本発明によれば、筒内に粒子状物質を生成し、この粒子状物質にナノ粒子を付着させることで、筒内から排出されるナノ粒子の量を低減させることができる。そのため、大気中へのナノ粒子の放出を抑制することができる。
【発明を実施するための最良の形態】
【００１８】
図１は、本発明の制御装置を内燃機関としてのディーゼルエンジン１に適用した一形態を示している。エンジン１は車両に走行用動力源として搭載されるもので、その気筒２には吸気通路３及び排気通路４が接続されている。吸気通路３には、吸入空気量を調整するためのスロットルバルブ５、ターボチャージャ６のコンプレッサ６ａ、及び吸気を冷却するインタークーラ７が設けられている。排気通路４には、ターボチャージャ６のタービン６ｂ、排気の流れを絞るための排気絞り弁８、及び排気を浄化するための排気浄化装置９が設けられている。排気浄化装置９は、吸蔵還元型ＮＯｘ触媒１０、パティキュレートフィルタ１１、及び酸化能を有する排気浄化触媒としての酸化触媒１２を備えている。また、排気浄化装置９には、排気ガスの温度に対応した信号を出力する温度センサ１３及び排気ガスの空燃比に対応した信号を出力するＡ／Ｆセンサ１４が設けられている。排気通路４と吸気通路３とはＥＧＲ通路１５で接続され、ＥＧＲ通路１５にはＥＧＲクーラ１６及びＥＧＲバルブ１７が設けられている。
【００１９】
また、エンジン１は燃料供給装置１８を備えている。燃料供給装置１８は、各気筒２内に燃料を噴射する燃料供給手段としてのインジェクタ１９と、インジェクタ１９から噴射する高圧の燃料を蓄えるコモンレール２０と、不図示の燃料タンクからコモンレール２０に燃料を供給する燃料ポンプ２１と、を備えている。また、燃料供給装置１８は、排気通路４に燃料を供給するための燃料添加インジェクタ２２を備えている。
【００２０】
排気絞り弁８、ＥＧＲバルブ１７及び各インジェクタ１９の動作はエンジンコントロールユニット（ＥＣＵ）３０により制御されている。ＥＣＵ３０は、マイクロプロセッサ、及びその動作に必要なＲＡＭ、ＲＯＭ等の周辺機器を含んだコンピュータとして構成され、エンジン１の運転状態を制御する周知のコンピュータユニットである。ＥＣＵ３０は、例えばエンジン１の運転状態に基づいて気筒２内に供給すべき燃料量を算出し、この供給すべき燃料量が気筒２内に噴射されるように各インジェクタ１９の動作を制御する。また、ＥＣＵ３０は、エンジン１の減速時でかつエンジン１の回転数が所定の回転数以上の場合は、気筒２内への燃料供給が停止されるように各インジェクタ１９の動作を制御する。なお、以降、ＥＣＵ３０がエンジン１の減速時に気筒２内への燃料供給を停止させることを燃料カットと呼称する。この他、ＥＣＵ３０は、エンジン１の運転状態に応じて排気通路４から吸気通路３に適切な量の排気ガスが還流されるようにＥＧＲバルブ１７の開度を制御する。これらの制御を実行する際に参照するセンサとしてＥＣＵ３０には、例えばエンジン１の回転数に対応した信号を出力する回転数センサ３１、温度センサ１３、及びＡ／Ｆセンサ１４が接続されている。なお、ＥＣＵ３０による制御対象はその他にも種々存在するが、ここでは図示を省略する。また、エンジン１には上述したセンサ以外にも各種のセンサが設けられるがそれらの図示も省略する。
【００２１】
エンジン１の減速時又はアイドル運転時は、気筒２内への燃料供給量が減少するため、気筒２内の圧力が低下して気筒２内に吸引される潤滑油量が増加し、気筒２内において潤滑油に由来するナノ粒子成分が生成されているおそれがある。そこで、ＥＣＵ３０は、図２のナノ粒子低減ルーチンを実行し、エンジン１の減速時又はアイドル運転時に気筒２から排出されるナノ粒子の量を低減させる。図２のルーチンは、エンジン１の運転中に所定の周期で繰り返し実行される。ＥＣＵ３０は、図２のルーチンを実行することにより、本発明の動作制御手段として機能する。
【００２２】
図２のナノ粒子低減ルーチンにおいてＥＣＵ３０は、まずステップＳ１１にてエンジン１の運転状態が減速又はアイドル運転か否か判断する。エンジン１の運転状態が減速又はアイドル運転か否かは、例えばエンジン１の回転数及びアクセル開度に基づいて判定する。ＥＣＵ３０は、エンジン１の回転数が所定のアイドリング回転数域内で、かつアクセル開度が０％、即ちアクセルが踏み込まれていない場合にエンジン１の運転状態がアイドル運転であると判断する。また、ＥＣＵ３０は、エンジン１の回転数が所定の回転数（例えば１４００ｒｐｍ）を超え、かつアクセル開度が０％である場合にエンジン１の運転状態が減速状態であると判断する。また、エンジン１の回転数の変化量がマイナス、即ちエンジン１の回転数が低下している場合に減速していると判断してもよいし、エンジン１のトルクの変化量がマイナスの場合に減速していると判断してもよい。さらに、不図示のブレーキが踏まれていることを示すブレーキ信号がオンの場合に減速していると判断してもよい。エンジン１が減速状態又はアイドル運転状態ではないと判断した場合は、今回のルーチンを終了する。
【００２３】
一方、エンジン１が減速状態又はアイドル運転状態であると判断した場合はステップＳ１２に進み、ＥＣＵ３０は酸化触媒１２の温度が所定の判定温度よりも低いか否か判断する。酸化触媒１２の温度は、例えば温度センサ１３の出力信号を参照して取得してもよいし、エンジン１の回転数や負荷などに基づいて推定してもよい。所定の判定温度は、酸化触媒１２の触媒活性温度域に応じて適宜設定され、例えばこの触媒活性温度域の下限値が設定される。酸化触媒１２の温度が所定の判定温度よりも低いと判断した場合はステップＳ１３をスキップし、ステップＳ１４に処理を進める。一方、酸化触媒１２の温度が所定の判定温度以上であると判断した場合はステップＳ１３に進み、ＥＣＵ３０は排気ガス流量が所定の判定流量以上であるか否か判断する。排気ガス流量は、例えばエンジン１の回転数、負荷及びＥＧＲガスに基づいて推定する。所定の判定流量には、例えば酸化触媒１２を通過する排気ガス流量が多く、酸化触媒１２の排気浄化性能を高い状態に維持できないような排気ガス流量が設定される。排気ガス流量が所定の判定流量未満であると判断した場合は、今回のルーチンを終了する。
【００２４】
排気ガス流量が所定の判定流量以上であると判断した場合はステップＳ１４に進み、ＥＣＵ３０は気筒２内に供給すべき燃料量を増加させ、この増加させた燃料量が供給されるようにインジェクタ１９の動作を制御する。気筒２内に供給すべき燃料量は、上述したようにエンジン１の運転状態に基づいて設定されている。そこで、この処理では、まず図２のルーチンの実行開始時におけるエンジン１の運転状態に基づいて燃料供給量を算出し、次にこの算出した燃料供給量を初期値としてＥＣＵ３０に設けられたＲＡＭに記憶させるとともにこの初期値に所定の増加分を加えて気筒２に供給すべき燃料量を増加させる。なお、所定の増加分は、例えば増量後の燃料量を気筒２内に供給した際、エンジン１で発生するトルクがゼロ以下に維持されるように設定される。
【００２５】
続くステップＳ１５においてＥＣＵ３０は、気筒２内に粒子状物質としてのススが生成されたか否か判断する。ススが生成されたか否かは、例えば気筒２内における燃料の燃焼によって判断し、気筒２内において燃料が燃焼した場合にススが生成されたと判断する。例えば、ＥＣＵ３０により燃料カットが行われている場合、即ち燃料供給量がゼロに設定されている場合は、気筒２内への燃料供給量を徐々に増加させ、気筒２内において燃料が燃焼した場合にススが生成されたと判断する。そこで、例えばＥＣＵ３０に設けられたＲＯＭにエンジン１の回転数と気筒２内において燃料が燃焼する燃料供給量の最小値との関係を予め実験などにより求めてマップとして記憶させ、このマップを参照してススが生成されたか否か判断する。また、ススの生成量は、気筒２内への燃料供給量及び噴射時期とそれぞれ相関関係を有している。図３（ａ）は気筒２内への燃料供給量とススの生成量との関係の一例を、図３（ｂ）は気筒２内への燃料の噴射時期とススの生成量との関係の一例をそれぞれ示している。なお、図３（ｂ）では、燃料の噴射時期をクランク角度で示している。そこで、図３（ａ）、（ｂ）に示した関係をＥＣＵ３０に設けられたＲＯＭにマップとして記憶させておき、ＥＣＵ３０はこれらのマップを参照してススが生成されたか否か判断してもよい。その他、排気中のススの量に応じた信号を出力するセンサを排気通路４に設け、このセンサの出力信号を参照して気筒２内にススが生成されたか否かを判断してもよい。なお、このようなセンサとしては、例えばレーザー誘起白熱センサ（ＬＩＩ、Ｌａｓｅｒ  Ｉｎｄｕｃｅｄ  Ｉｎｃａｎｄｅｓｃｅｎｃｅ）、フォトアコースティックセンサ（ＰＡＳ、Ｐｈｏｔｏ  Ａｃｏｕｓｔｉｃ  ｓｐｅｃｔｒｏｓｃｏｐｙ）などがある。
【００２６】
気筒２内にススが生成されていないと判断した場合はステップＳ１４に戻り、ＥＣＵ３０はステップＳ１４及びＳ１５の処理を繰り返す。一方、気筒２内にてススが生成されたと判断した場合はステップＳ１６に進み、ＥＣＵ３０は気筒２内への燃料噴射量を増量する前の初期値に戻す。その後、今回のルーチンを終了する。
【００２７】
以上に説明したように、図２のルーチンではエンジン１の減速時に気筒２内にススを生成させるので、気筒２内のナノ粒子をこのススに付着させることで、気筒２から排出されるナノ粒子の量を低減させることができる。また、気筒２内で燃料を燃焼させることにより、気筒２内の圧力を上昇させることができるので、気筒２内に吸引される潤滑油量を減少させることができる。そのため、潤滑油に由来するナノ粒子成分の生成量を低減させることができる。図２のルーチンでは、排気ガス流量が所定の判定流量以上の場合、又は酸化触媒１２の温度が所定の判定温度よりも低い場合の少なくとも一方の場合に、気筒２内に燃料を噴射するので、燃料の消費量を抑えつつ、気筒２から排出されるナノ粒子の量を低減させることができる。なお、ステップＳ１１の処理を実行し、気筒２内において潤滑油に由来するナノ粒子成分が生成されているか否か判断することによって、ＥＣＵ３０は本発明の状態判定手段として機能する。また、インジェクタ１９から気筒２内に燃料を供給して気筒２内にススを生成することで、インジェクタ１９は本発明の粒子状物質生成手段として機能する。
【００２８】
図４は、図２のナノ粒子低減ルーチンの変形例を示している。気筒２内に吸引される潤滑油の量が増加すると、この潤滑油に由来するナノ粒子成分の発生量が増加し、気筒２内で発生するナノ粒子の量が増加するおそれがある。このように、気筒２内で生成されるナノ粒子の量は気筒２内に吸引された潤滑油の量と相関関係を有しており、この潤滑油の量はエンジン１の減速度と相関関係を有している。そこで、この変形例では、エンジン１の減速時に気筒２内に供給する燃料供給量をエンジン１の減速度に応じて変化させる。なお、図４において図２と同一の処理には同一の参照符号を付し、説明を省略する。
【００２９】
図４のルーチンにおいてＥＣＵ３０は、まずステップＳ１３まで図２のルーチンと同様の処理を行う。続くステップＳ２１においてＥＣＵ３０は、減速時におけるエンジン１の回転数の変化に基づいてエンジン１の減速度を取得する。次のステップＳ２２においてＥＣＵ３０は、取得したエンジン１の減速度に基づいて気筒２内に供給する燃料供給量を取得する。エンジン１の減速度が大きいほど気筒２内の圧力が低下し易いため、気筒２内に潤滑油が吸引され易い。そのため、気筒２内に吸引される潤滑油量が増加し、潤滑油に由来するナノ粒子成分の発生量が増加すると推定される。そこで、ＥＣＵ３０は例えば図５に示したマップを参照し、エンジン１の減速度に応じた燃料供給量を取得する。図５は、エンジン１の減速度と気筒２内に供給する燃料供給量との関係の一例を示している。このような関係は、予め実験などによって求め、ＥＣＵ３０に設けられたＲＯＭにマップとして記憶させておく。ＥＣＵ３０は、図５のマップを参照し、エンジン１の減速度が大きいほど気筒２内に潤滑油が吸引され易い状態であると判断し、気筒２内において潤滑油に由来するナノ粒子成分が多く生成されていると推定する。そこで、ＥＣＵ３０は、図５のマップを参照し、エンジン１の減速度が大きいほど気筒２に供給される燃料供給量を増加させる。すなわち、エンジン１の減速度が大きいほど気筒２内に生成するススの量を増加させる。
【００３０】
次のステップＳ１５においてＥＣＵ３０は気筒２内にススが生成されたか否か判断する。気筒２内にススが生成されていないと判断した場合はステップＳ２１に戻り、ＥＣＵ３０はステップＳ２１、Ｓ２２及びＳ１５の処理を繰り返す。一方、ススが生成されたと判断した場合はステップＳ２３に進み、ＥＣＵ３０は気筒２に供給する燃料供給量をエンジン１の回転数などに基づいて設定する。その後、今回のルーチンを終了する。
【００３１】
図４のルーチンでは、エンジン１の減速度に応じて気筒２内に供給する燃料供給量を設定するため、ナノ粒子の発生量に応じてススの発生量を調整することができる。そのため、ススの過剰な生成を抑制し、気筒２から排出されるススの量を低減させることができる。図４のステップＳ２２の処理では、ＥＣＵ３０がエンジン１の減速度を判定し、この減速度が大きい場合に気筒２内に潤滑油が吸引され易い状態であると判断しているが、気筒２内に潤滑油が吸引され易い状態であるか否かは、例えば各気筒２に気筒２内の圧力に対応した信号を出力する圧力センサを設け、この圧力センサの出力信号に基づいて判断してもよい。
【００３２】
図６のルーチンは、ＥＣＵ３０が気筒２内にて燃焼する潤滑油の量を低減させるために実行する潤滑油燃焼量低減ルーチンを示している。潤滑油は気筒２内の圧力が低いほど吸引され易い。そこで、このルーチンでは、気筒２内の圧力を上昇させて気筒２内に吸引される潤滑油量を低減させる。なお、図６において図２と同一の処理には同一の参照符号を付し、説明を省略する。図６のルーチンもエンジン１の運転中に所定の周期で繰り返し実行される。
【００３３】
図６のルーチンにおいてＥＣＵ３０は、まずステップＳ１３まで図２のルーチンと同様の処理を行う。続くステップＳ３１においてＥＣＵ３０は、排気絞り弁８の開度を閉じ側に制御する。この際、排気絞り弁８は、エンジン１の運転状態が急に変化しないような開度分閉じ側に制御される。次のステップＳ３２においてＥＣＵ３０は、排気絞り弁８よりも上流側の排気通路４の圧力が所定の判定圧力以上に上昇したか否か判断する。所定の判定圧力には、例えば気筒２内に吸引される潤滑油の量が略ゼロになるような圧力が設定される。吸引される潤滑油が略ゼロになるような圧力は、エンジン１の運転状態に応じて変化するため、例えばエンジン１の回転数に応じて所定の判定圧力を変化させてもよい。排気通路４の圧力は、例えば排気通路４の圧力に対応した信号を出力するセンサを設けて検出してもよいし、エンジン１の回転数及び気筒２内への燃料供給量に基づいて推定してもよい。
【００３４】
排気通路４の圧力が所定の判定圧力未満であると判断した場合はステップＳ３１に戻り、ＥＣＵ３０はステップＳ３１及びＳ３２の処理を繰り返す。一方、排気通路４の圧力が所定の判定圧力以上であると判断した場合はステップＳ３３に進み、ＥＣＵ３０は排気絞り弁８の開度を開き側に制御し、排気絞り弁８の開度を閉じ側に制御する前の開度（初期値）に戻す。その後、今回のルーチンを終了する。
【００３５】
図６のルーチンでは、エンジン１の減速時に排気絞り弁８を閉じ側に制御して排気通路４の圧力を上昇させ、気筒２内の圧力を上昇させる。これにより、気筒２内に吸引される潤滑油の量を低減させることができるので、潤滑油に由来するナノ粒子成分の発生量を低減させてナノ粒子の発生量を低減させることができる。このようにエンジン１の減速時に排気絞り弁８を閉じ側に制御し、気筒２内において燃焼する潤滑油量を低減させることで、排気絞り弁８は本発明の潤滑油燃焼量低減手段として機能する。なお、気筒２内の圧力を上昇させる方法は、上述した排気絞り弁８の開度を閉じ側に制御する方法に限定されない。例えば、ＥＧＲバルブ１７を開いて吸気通路３と排気通路４とを連通させることで吸気通路３の圧力を上昇させることができるので、気筒２内の圧力の低下を抑制することができる。また、例えば減速時に、各気筒２に設けられる吸気弁及び排気弁のうちの少なくとも一方を開状態に維持して気筒２内の圧力の低下を抑制してもよい。ターボチャージャ６のタービン６ｂに可変ノズルが設けられている場合は、この可変ノズルを閉じ側に制御して排気通路４の圧力を上昇させてもよい。このようにして気筒２内の圧力の低下を抑制した場合は、ＥＧＲバルブ１７、吸気弁、排気弁、及び可変ノズルがそれぞれ本発明の潤滑油燃焼量低減手段として機能する。
【００３６】
本発明における図２や図４に示したナノ粒子低減ルーチン及び図６に示した潤滑油燃焼量低減ルーチンは、各々個別に実行してもよいし、これらのルーチンを並列的に実行してもよい。これらのルーチンを並列的に実行することで、エンジン１の減速時におけるエンジンブレーキの効きの低下を抑制しつつ、ナノ粒子の排出量を減少させることができる。
【００３７】
上述した実施形態では、ナノ粒子を付着させるスス等の粒子状物質を気筒２内にて生成させているが、本発明において粒子状物質を生成する場所や供給する場所はエンジン１の気筒２内に限定されない。例えばエンジン１の排気系の外部で炭素粒子を生成し、この炭素粒子をエンジン１の排気系に供給してもよい。
【００３８】
本発明は、上述した実施形態に限定されることなく、種々の形態にて実施してよい。例えば、本発明が適用される内燃機関はディーゼルエンジンに限定されず、ガソリンその他の燃料を利用する各種の内燃機関に適用してよい。
【００３９】
エンジン１が、ピストンに潤滑油を供給するためのオイルジェット装置を備えている場合、ＥＣＵ３０はエンジン１の減速時にこのオイルジェット装置の動作を停止させてもよい。このようにエンジン１の減速時にオイルジェット装置を停止させることで、気筒２内に吸引される潤滑油量をさらに低減させることができる。
【図面の簡単な説明】
【００４０】
【図１】本発明の制御装置をディーゼルエンジンに適用した一形態を示す図。
【図２】ＥＣＵが実行するナノ粒子低減ルーチンを示すフローチャート。
【図３】気筒内への燃料供給パラメータとススの生成量との関係を示す図で、（ａ）が気筒内への燃料供給量とススの生成量との関係の一例を示し、（ｂ）が気筒内への燃料の噴射時期とススの生成量との関係の一例を示す。
【図４】ナノ粒子低減ルーチンの変形例を示すフローチャート。
【図５】エンジンの減速度と気筒内への燃料供給量との関係の一例を示す図。
【図６】ＥＣＵが実行する潤滑油燃焼量低減ルーチンを示すフローチャート。
【符号の説明】
【００４１】
１  ディーゼルエンジン（内燃機関）
２  気筒
４  排気通路
９  排気絞り弁（潤滑油燃焼量低減手段）
１２  酸化触媒（排気浄化触媒）
１７  ＥＧＲバルブ（潤滑油燃焼量低減手段）
１９  インジェクタ（粒子状物質生成手段、燃料供給手段）
３０  エンジンコントロールユニット（動作制御手段、状態判定手段）
【図１】
2006258071.tif 000003
【図２】
2006258071.tif 000004
【図３】
2006258071.tif 000005
【図４】
2006258071.tif 000006
【図５】
2006258071.tif 000007
【図６】
2006258071.tif 000008